(57)【要約】【課題】軸周りに回転する回転部材と所定の部材とを電気的接続するＦＰＣの形状変化を抑制して信頼性を向上させたレンズ装置を提供する。【解決手段】レンズ装置（２０）は、撮像光学系（２０１〜２０３）と、互いに相対的に回転することが可能な第一部材（２１５）および第二部材（２１１）と、第一部材と第二部材との相対的な回転により形状が変化するように設けられたフレキシブルプリント基板（２２７）とを有し、フレキシブルプリント基板は、Ｕターン形状を有する第一領域（２２７ａ）、第一領域の一方側の第二領域（２２７ｂ）、および第一領域の他方側の第三領域（２２７ｃ）を有し、第一部材は第二領域をガイドする第一ガイド部（２２５ａ）を有し、第二部材は第三領域をガイドする第二ガイド部（２２６ａ）および第一部材と第二部材との相対的な回転に伴うフレキシブルプリント基板の形状の変化を規制する第三ガイド部（２２６ｂ）を有する。【選択図】図１
2019040048.tif 000002
【特許請求の範囲】
【請求項１】
撮像光学系と、
互いに相対的に回転することが可能な第一部材および第二部材と、
前記第一部材と前記第二部材との相対的な回転によって形状が変化するように設けられたフレキシブルプリント基板と、を有し、
前記フレキシブルプリント基板は、Ｕターン形状を有する第一領域、前記第一領域の一方側の第二領域、および、前記第一領域の他方側の第三領域を有し、
前記第一部材は、前記フレキシブルプリント基板の前記第二領域をガイドする第一ガイド部を有し、
前記第二部材は、前記フレキシブルプリント基板の前記第三領域をガイドする第二ガイド部、および、前記第一部材と前記第二部材との相対的な回転に伴う前記フレキシブルプリント基板の形状の変化を規制する第三ガイド部を有する
ことを特徴とするレンズ装置。
【請求項２】
前記第一部材は、前記撮像光学系の光軸と平行な回転軸を中心として、前記第二部材に対して相対的に回転し、
前記フレキシブルプリント基板は、前記第一部材が前記第二部材に対して相対的に回転することで前記フレキシブルプリント基板の形状が変化するように設けられている
ことを特徴とする請求項１に記載のレンズ装置。
【請求項３】
前記第一ガイド部は、前記回転軸を中心とした円弧形状を有する
ことを特徴とする請求項２に記載のレンズ装置。
【請求項４】
前記第二ガイド部は、前記回転軸を中心とした円弧形状を有し、前記第一ガイド部よりも前記回転軸から離れた位置に設けられている
ことを特徴とする請求項２または３に記載のレンズ装置。
【請求項５】
前記第三ガイド部は、前記回転軸を中心とした円弧形状を有し、
前記第一ガイド部と前記第三ガイド部との間の距離は、前記第一ガイド部と前記第二ガイド部との間の距離よりも小さい
ことを特徴とする請求項２乃至４のいずれか１項に記載のレンズ装置。
【請求項６】
前記第一ガイド部、前記第二ガイド部、および、前記第三ガイド部はそれぞれ、板金部材で構成されている
ことを特徴とする請求項１乃至５のいずれか１項に記載のレンズ装置。
【請求項７】
前記第二ガイド部と前記第三ガイド部は、同一の板金部材で構成されている
ことを特徴とする請求項１乃至６のいずれか１項に記載のレンズ装置。
【請求項８】
前記第二ガイド部と前記第三ガイド部は、互いに別の板金部材で構成されている
ことを特徴とする請求項１乃至６のいずれか１項に記載のレンズ装置。
【請求項９】
前記第三ガイド部は、前記フレキシブルプリント基板のガイドしている前記第一ガイド部の少なくとも一部を覆うように設けられている
ことを特徴とする請求項１乃至８のいずれか１項に記載のレンズ装置。
【請求項１０】
請求項１乃至９のいずれか１項に記載のレンズ装置と、
前記レンズ装置を介して形成される光学像を光電変換する撮像素子を含む撮像装置本体と、を有する
ことを特徴とする撮像装置。
【請求項１１】
前記レンズ装置は、前記撮像装置本体に対して着脱可能である
ことを特徴とする請求項１０に記載の撮像装置。
【発明の詳細な説明】
【技術分野】
【０００１】
本発明は、フレキシブルプリント基板を備えたレンズ装置に関する。
【背景技術】
【０００２】
従来、光学機器としての一眼レフカメラ等の撮像装置に搭載されるレンズ鏡筒には、各部品を電気的接続するためのフレキシブルプリント基板（ＦＰＣ）が設けられている。またレンズ鏡筒は、合焦レンズ群や変倍レンズ群等のような移動部材を有し、移動部材と他の部材とを電気的接続するためのＦＰＣは、移動部材の移動に伴ってその形状が変化する。このため、移動部材が移動してもＦＰＣの電気的接続を保持するように構成することが必要である。
【０００３】
特許文献１には、レンズ群の移動を許容するように、折り返し部を途中に設けたＦＰＣが開示されている。
【先行技術文献】
【特許文献】
【０００４】
【特許文献１】特開２０１０−２０５７７４号公報
【発明の概要】
【発明が解決しようとする課題】
【０００５】
しかしながら、特許文献１に開示されたＦＰＣは、合焦レンズ群や変倍レンズ群等の光軸方向への移動を許容するように構成されているが、光軸等の軸を中心とした回転移動を許容する際に生じるＦＰＣの膨らみを防ぐことはできない。
【０００６】
そこで本発明は、軸周りに回転する回転部材と所定の部材とを電気的に接続するＦＰＣの形状変化を抑制して信頼性を向上させたレンズ装置および撮像装置を提供することを目的とする。
【課題を解決するための手段】
【０００７】
本発明の一側面としてのレンズ装置は、撮像光学系と、互いに相対的に回転することが可能な第一部材および第二部材と、前記第一部材と前記第二部材との相対的な回転によって形状が変化するように設けられたフレキシブルプリント基板とを有し、前記フレキシブルプリント基板は、Ｕターン形状を有する第一領域、前記第一領域の一方側の第二領域、および、前記第一領域の他方側の第三領域を有し、前記第一部材は、前記フレキシブルプリント基板の前記第二領域をガイドする第一ガイド部を有し、前記第二部材は、前記フレキシブルプリント基板の前記第三領域をガイドする第二ガイド部、および、前記第一部材と前記第二部材との相対的な回転に伴う前記第一領域の形状の変化を規制する第三ガイド部を有することを特徴とする。
【０００８】
本発明の他の側面としての撮像装置は、前記レンズ装置と、前記レンズ装置を介して形成される光学像を光電変換する撮像素子を含む撮像装置本体とを有することを特徴とする。
【０００９】
本発明の他の目的及び特徴は、以下の実施形態において説明される。
【発明の効果】
【００１０】
本発明によれば、軸周りに回転する回転部材と所定の部材とを電気的に接続するＦＰＣの形状変化を抑制して信頼性を向上させたレンズ装置および撮像装置を提供することができる。
【図面の簡単な説明】
【００１１】
【図１】第一実施形態におけるレンズ装置の要部の断面図である。
【図２】第一実施形態におけるレンズ装置の要部の断面図である（ＴＳ回転時）。
【図３】各実施形態における撮像装置の模式図である。
【図４】各実施形態におけるレンズ装置の側面図である。
【図５】各実施形態におけるレンズ装置の断面図である。
【図６】各実施形態におけるレンズ装置の要部の分解斜視図である。
【図７】各実施形態におけるシフト部の斜視図である。
【図８】第二実施形態におけるレンズ装置の要部の断面図である。
【図９】第三実施形態におけるレンズ装置の要部の断面図である。
【発明を実施するための形態】
【００１２】
以下、本発明の実施形態について、図面を参照しながら詳細に説明する。本発明は種々のレンズ装置に適用可能であるが、一例として、あおりレンズ装置（ＴＳレンズ装置）に適用した場合について説明する。
【００１３】
（第一実施形態）
まず、図３を参照して、本発明の第一実施形態における撮像装置について説明する。図３は、撮像装置１０の模式図である。図３において、１００は、カメラ本体（撮像装置本体）であり、例えば一眼レフ型デジタルカメラである。２００は、カメラ本体１００に着脱可能な交換レンズ（レンズ装置）である。本実施形態において、撮像装置（カメラシステム）１０は、カメラ本体１００と交換レンズ２００とにより構成される。ただし本実施形態は、これに限定されるものではなく、レンズ装置（撮像光学系）と撮像装置本体とが一体的に構成された撮像装置にも適用可能である。
【００１４】
２０１は第１レンズ群、２０２はフォーカスレンズ群、２０３は絞りであり、これらにより撮像光学系が構成される。２０４は、フォーカスレンズ群２０２の位置を検出するフォーカス位置検出手段である。２０５は絞り駆動手段であり、レンズＣＰＵ（制御手段、制御基板）２０６からの信号に基づいて絞り２０３の開口径を制御する。
【００１５】
２０７は、全体回転部である。２０８は、カメラ本体１００と接続するためのマウントである。２０９は、マウント２０８に固定される固定部である。２１１はシフト部（第二部材）である。２１５はＴＳ回転部（第一部材）である。２２１はティルト部である。ティルト部２２１は、撮像光学系を保持するティルト部材２２１ａ、および、Ｒ部材２２１ｂを有し、ティルト部材２２１ａとＲ部材２２１ｂとを相対的に（かつ連続的に）傾斜させる。これによりティルト部２２１は、撮像光学系の光軸ＯＡを傾斜させることができる。２１０は、全体回転部２０７の回転角度を検出する全体回転角度検出手段である。２１４は、シフト部２１１のシフト量を検出するシフト量検出手段である。２１９は、ＴＳ回転部２１５の回転角度を検出するＴＳ回転角度検出手段である。２２２は、ティルト部２２１のティルト量を検出するティルト量検出手段である。なお、全体回転部２０７〜ティルト量検出手段２２２は、ティルト方向およびシフト方向の移動、相対回転、レンズ全体の全体回転等の機構であり、これらの詳細については後述する。
【００１６】
２０６は、レンズＣＰＵ（制御手段）である。レンズＣＰＵ２０６は、レンズ通信手段２２３およびカメラ通信手段１０３を介して、カメラＣＰＵ（カメラ制御手段）１１１と情報の送信および受信を行うとともに、交換レンズ２００内の全般の制御を司る。フォーカス位置検出手段２０４は、主に外付けストロボ（カメラに最初から備え付けられていてもよい）の光量の制御に用いられる。２２４は、ＲＯＭ等を備えて構成される記憶手段である。記憶手段２２４は、交換レンズ２００の固有の識別番号（ＩＤ）、焦点距離情報、ティルト移動またはシフト移動の際の瞳位置移動量をマトリックスとして格納している。記憶手段２２４に格納された情報は、レンズＣＰＵ２０６により随時読み出される。
【００１７】
被写体３００からの入射光は、交換レンズ２００内のレンズ群２０１、フォーカスレンズ群２０２、および、絞り２０３を通過して、カメラ本体１００に入射する。カメラ本体１００は、クイックリターンミラー１０１が退避した状態において、撮像素子１０２に入射光を取り込み、撮影を行う。クイックリターンミラー１０１が通常位置にある場合、入射光は９０°だけその方向が曲げられ、ペンタプリズム１０８に入射する。ペンタプリズム１０８を通過した光束は、ファインダ光学系１１４を通過し、光学ファインダ像として撮影者に視認される。１０９はクイックリターンミラー制御手段である。クリックリターンミラー制御手段１０９は、カメラＣＰＵ１１１からの信号に応じて、クイックリターンミラー１０１のミラーアップおよびミラーダウンの各動作を制御する。１１０は測光手段である。測光手段１１０は、カメラ本体１００に装着された交換レンズ２００を通過した光量に基づいて測光処理を行い、測光情報をカメラＣＰＵ１１１へ伝達する。１１３は２段スイッチで構成されたレリーズスイッチ手段である。レリーズスイッチ１１３は、１段目のオンにより、測光、焦点検出を開始させる撮影準備命令（ＳＷ１）信号を出力する。またレリーズスイッチ１１３は、２段目のオンにより、撮像素子１０２による露光記録を開始させる露光開始命令（ＳＷ２）信号を出力する。ＳＷ１信号およびＳＷ２信号は、カメラＣＰＵ１１１に入力される。
【００１８】
撮像素子１０２は、交換レンズ２００を介して形成された被写体像（光学像）を光電変換して画像信号を出力する。また撮像素子１０２は、光電変換により得られた画像信号（アナログ信号）をデジタル信号へ変換し、デジタル信号をカメラＣＰＵ１１１に出力する。本実施形態の撮像装置１０は、このデジタル信号を用いて、動画像または静止画像を形成する。１０４は焦点検出手段（ＡＦセンサ）である。焦点検出手段１０４は、クイックリターンミラー１０１のハーフミラー部を通過して折り曲げられた光束を利用して、位相差検出方式により焦点状態（合焦状態）を検出する。１０６は電源であり、カメラＣＰＵ１１１等のカメラ本体１００および交換レンズ２００の各部に電源を供給する。１０７は、撮影者の操作によりカメラ本体１００に関する各設定を行う設定手段である。
【００１９】
次に、図４乃至図７を参照して、本実施形態におけるティルトおよびシフト可能なあおりレンズ装置（交換レンズ２００）の機構について説明する。図４は、交換レンズ２００の側面図である。図５は、交換レンズ２００の断面図である。図６は、交換レンズ２００の要部の分解斜視図である。図７は、シフト部２１１の斜視図である。
【００２０】
全体回転部２０７は、全体回転部２０７よりも被写体側にあるレンズ全体をレンズの光軸ＯＡを中心して回転させる機能を有し、カメラ本体１００との接続部であるマウント２０８に固定される固定部２０９に対して±９０°回転可能に連結されている。本実施形態において、全体回転部２０７は、３０°ごとの計７個のクリック機構と、０°、＋９０°、−９０°の位置で回転をロックすることが可能なロック機構を有する。全体回転角度検出手段２１０は、光軸ＯＡを中心した回転量（角度）が±９０°の範囲で検出する。
【００２１】
シフト部２１１は、シフト部２１１よりも被写体側にあるレンズ全体を光軸ＯＡに対して垂直な方向に平行移動させる機能を有し、全体回転部２０７にシフト可能に連結されている。また、シフト部２１１と全体回転部２０７とがアリ溝を用いてシフト可能に連結されており、シフト操作ノブと同軸に直結されたシフト駆動ギア２１２およびラック２１３は、ノブによる回転運動を直進運動に変換してシフト操作が可能である。またシフト部２１１は、シフト量±０の位置でのクリック機構と、任意の位置でシフト移動を止められるシフトロック機構を有する。シフト量検出手段２１４は、実際のシフト移動量を、移動方向である正負の判定を含めて検出する。
【００２２】
ＴＳ回転部２１５は、ティルト部２２１とシフト部２１１とを相対的に回転させ（ＴＳ回転を行い）、シフト部２１１に対して０°〜９０°の範囲でＴＳ回転可能に連結されている。本実施形態において、ＴＳ回転部２１５は、４５°ごとの計３個のクリック機構を有し、０°、９０°の位置で回転をロックすることが可能なロック機構を有する。ＴＳ回転部２１５は、シフト部２１１に対する径嵌合部を有する。また、押さえ板（付勢部材）２１６がシフト部２１１に対してＴＳ回転部２１５を、４本の軸ネジ２１７と弾性部材２１８とを介して付勢しており、倒れや光軸方向のガタ無しに光軸ＯＡを中心として回転摺動可能である。軸ネジ２１７は、円柱部と突き当て部にてシフト部２１１に位置決めされている。また、円柱部にて押さえ板２１６の光軸ＯＡを中心した回転方向の移動を規制しており、光軸方向に移動可能としている。
【００２３】
Ｒ部材２２１ｂは、ＴＳ回転部２１５と共にＴＳ回転を担っている。Ｒ部材２２１ｂは、ティルト部材２２１ａとの摺動面として凸面の円の一部を有する。本実施形態において、押さえ板２１６はシフト部２１１に固定され、ＴＳ回転部２１５はＲ部材２２１ｂと一体的にシフト部２１１に対して回転移動することによりＴＳ回転が可能である。なお、Ｒ部材２２１ｂとシフト部２１１との関係が逆であってもよい。
【００２４】
ＴＳ回転角度検出部（相対角度検出手段）２１９は、０°〜９０°の範囲で光軸ＯＡを中心したＴＳ回転量を検出する。本実施形態において、ＴＳ回転部２１５とシフト部２１１とが互いに引き合う方向に付勢する構造を有する。このため、倒れやガタの発生を防ぎ、光学性能の劣化を抑制しながらＴＳ回転を可能としている。
【００２５】
ティルト部２２１は、ティルト部２２１よりも被写体側にある構成全体を、レンズの光軸ＯＡに対して垂直な回転中心を軸として、カメラ本体１００に対して傾斜させる機能を有する。具体的には、Ｒ部材２２１ｂとティルト部材２２１ａとの接触面が、同一の中心軸と同半径を有する凸面と凹面の円の一部として形成されている。ティルト部２２１の回転中心Ａは主点位置にあり、ティルト部２２１より像面側の部位を固定しながらティルト動作を行った場合、像移動を抑制することができる。
【００２６】
図６に示されるように、第一ＦＰＣ押さえ板金２２５はＲ部材２２１ｂに取り付けられており、第二ＦＰＣ押さえ板金２２６は押さえ板２１６に取り付けられている。ＦＰＣ（フレキシブルプリント基板）２２７は、その一端が第一ＦＰＣ押さえ板金２２５に固定され、他端が第二ＦＰＣ押さえ板金２２６に固定されている。このため、ティルト部２２１とシフト部２１１とを相対的に回転させ（ＴＳ回転を行う）と、ＦＰＣ２２７の形状（第一ＦＰＣ押さえ板金２２５と第二ＦＰＣ押さえ板金２２６との間のＦＰＣ２２７の形状）が変化する。
【００２７】
次に、図１および図２を参照して、第一ＦＰＣ押さえ板金２２５、第二ＦＰＣ押さえ板金２２６、および、ＦＰＣ２２７の関係について説明する。図１は、交換レンズ２００の要部の断面図である。図２は、図１の状態からＴＳ回転後を行った後の状態の要部の断面図である。なお、図１および図２は、説明のため、第一ＦＰＣ押さえ板金２２５、第二ＦＰＣ押さえ板金２２６、および、ＦＰＣ２２７のみを示している。
【００２８】
第一ＦＰＣ押さえ板金２２５には、第一ガイド面（第一ガイド部）２２５ａが設けられている。第一ガイド面２２５ａは、回転軸Ａを中心とした円弧形状を有し、ＦＰＣ２２７の一端２２７ｂをガイドする。第二ＦＰＣ押さえ板金２２６には、第二ガイド面（第二ガイド部）２２６ａおよび第三ガイド面（第三ガイド部）２２６ｂが設けられている。第二ガイド面２２６ａは、平面部２２６ａ１および回転軸Ａを中心とした円弧形状部２２６ａ２を有し、平面部２２６ａ１と円弧形状部２２６ａ２がなだらかに接続されている。このような構成により、第二ガイド面２２６ａは、ＦＰＣ２２７の他端２２７ｃをガイドする。第三ガイド面２２６ｂは、回転軸Ａを中心とした円弧形状を有し、ＴＳ回転部２１５（Ｒ部材２２１ｂ）とシフト部２１１との相対的な回転に伴うＦＰＣ２２７の形状の変化を規制する。このため第三ガイド面２２６ｂは、ＦＰＣ２２７をガイドしている第一ガイド面２２５ａの少なくとも一部を覆うように設けられている。本実施形態において、第二ガイド面２２６ａと第三ガイド面２２６ｂは、同一の板金部材で構成されている。
【００２９】
ＦＰＣ２２７は、前述のフォーカス位置検出手段２０４や絞り２０３等の電気部品との電気的接続を行うために設けられており、第一ＦＰＣ押さえ板金２２５の第一ガイド面２２５ａに両面テープ等を用いて貼り付けられ固定されている。またＦＰＣ２２７は、第一ＦＰＣ押さえ板金２２５のクリップ形状部２２５ｂにより折り畳まれて挟み込まれ、固定されている。
【００３０】
ＦＰＣ２２７は、Ｕターン部２２７ａ（Ｕターン形状を有する第一領域）、Ｕターン部２２７ａの一端２２７ｂ（Ｕターン部２２７ａの一方側の第二領域）、および、Ｕターン部２２７ａの他端２２７ｃ（Ｕターン部２２７ａの他方側の第三領域）を有する。Ｕターン部２２７ａは、ＴＳ回転部２１５（Ｒ部材２２１ｂ）とシフト部２１１との相対的な回転に伴って形状が変化する。Ｕターン部２２７ａの一端２２７ｂ（第二領域）は、Ｕターン部２２７ａの反発力により、第一ガイド面２２５ａに押し付けられている。Ｕターン部２２７ｃの他端２２７ｃ（第三領域）は、Ｕターン部２２７ａの反発力により、第二ガイド面２２６ａに押し付けられている。またＵターン部２２７ａの他端２２７ｃ（第三領域）は、第二ガイド面２２６ａに両面テープ等を用いて貼り付けられて固定されている。
【００３１】
図２において、第一ＦＰＣ押さえ板金２２５は、第二ＦＰＣ押さえ板金２２６に対し、回転軸Ａを中心として相対的なＴＳ回転を行うように構成されている。Ｕターン部２２７ａは、ＴＳ回転により、ＴＳ回転の方向（図１中の矢印方向）にＴＳ回転の回転量の半分の量だけ移動する。そして、Ｕターン部２２７ａの一端２２７ｂと他端２２７ｃとの間の長さがＴＳ回転の回転分だけ１対１の割合で変化することにより、ＦＰＣ２２７の形状変化を許容するように構成されている。
【００３２】
ＴＳ回転を行う際、一端２２７ｂは、Ｕターン部２２７ａの反発力により第一ＦＰＣ押さえ板金２２５の形状に沿った円弧形状になっている。このとき、図２中の拡大図（ＤＥＴＡＩＬ  Ｂ）に示されるように、Ｕターン部２２７ａは、円弧形状を有するため、接線方向の力がかかる。このため、図２中の拡大図に示されるように、Ｕターン部２２７ａの一端２２７ｂの中心部が膨らみ、膨らみ部２２７ｄが形成される。本実施形態において、膨らみ部２２７ｄは、第三ガイド面２２６ｂにより押え込むことができる。このためＵターン部２２７ａは、膨らみ部２２７ｄを所定量以下に規制する（ＦＰＣの形状の変化を規制する）ことができ、一定の形状を保ちながらＴＳ回転時を行うことが可能となる。
【００３３】
好ましくは、第一ガイド面２２５ａと第三ガイド面２２６ｂとの間の距離ｄ１は、第一ガイド面２２５ａと第二ガイド面２２６ａとの間の距離ｄ２よりも小さい。このような構成により、ＦＰＣ２２７は、第一ガイド面２２５ａと第三ガイド面２２６ｂとの間にＵターン部が形成されることなく、第一ガイド面２２５ａと第二ガイド面２２６ａとの間でＵターン部２２７ａを形成することができる。
【００３４】
（第二実施形態）
次に、図８を参照して、本発明の第二実施形態について説明する。図８は、本実施形態における交換レンズ２００の要部の断面図である。なお図８は、図１と同様に、第一ＦＰＣ押さえ板金３２５、第二ＦＰＣ押さえ板金３２６、および、ＦＰＣ３２７のみを示している。
【００３５】
第一実施形態では、第二ＦＰＣ押さえ板金２２６の第二ガイド面２２６ａは、平面部２２６ａ１および回転軸Ａを中心とした円弧形状部２２６ａ２を有し、平面部２２６ａ１と円弧形状部２２６ａ２がなだらかに接続されていた。一方、本実施形態では、第二ＦＰＣ押さえ板金３２６の第二ガイド面３２６ａは、回転軸Ａを中心とした円弧形状部のみを有する。また第二ＦＰＣ押さえ板金３２６には、第三ガイド面３２６ｂが設けられている。第一ＦＰＣ押さえ板金３２５は、第一実施形態の第一ＦＰＣ押さえ板金２２５と同様に、回転軸Ａを中心とした円弧形状の第一ガイド面３２５ａを有する。
【００３６】
ＦＰＣ３２７は、第一実施形態と同様に、フォーカス位置検出手段２０４や絞り２０３等の電気部品との電気的接続を行うために設けられており、第一ＦＰＣ押さえ板金３２５の第一ガイド面３２５ａに両面テープ等を用いて貼り付けられ固定されている。またＦＰＣ２２７は、第一ＦＰＣ押さえ板金３２５のクリップ形状部３２５ｂにより折り畳まれて挟み込まれ、固定されている。ＦＰＣ３２７は、Ｕターン部３２７ａを有し、Ｕターン部３２７ａの一端３２７ｂは、Ｕターン部３２７ａの反発力により、第一ガイド面３２５ａに押し付けられている。Ｕターン部３２７ａの他端３２７ｃは、第二ガイド面３２６ａに押し付けられている。またＵターン部３２７ａの他端３２７ｃは、第二ガイド面３２６ａに両面テープ等を用いて貼り付けられ固定されている。また、第一実施形態と同様に、第一ガイド面３２５ａと第三ガイド面３２６ｂとの間の距離ｄ３は、第一ガイド面３２５ａと第二ガイド面３２６ａとの間の距離ｄ４よりも小さい。このように、第二ＦＰＣ押さえ板金３２６が平面部を有しない構成でも、同様の効果を得ることができる。
【００３７】
（第三実施形態）
次に、図９を参照して、本発明の第三実施形態について説明する。図９は、本実施形態における交換レンズ２００の要部の断面図である。なお図９は、図１と同様に、第一ＦＰＣ押さえ板金４２５、第二ＦＰＣ押さえ板金４２６、および、ＦＰＣ４２７のみを示している。
【００３８】
第一ＦＰＣ押さえ板金４２５は、回転軸Ａを中心とした円弧形状の第一ガイド面４２５ａを有する。第二ＦＰＣ押さえ板金４２６は、第二ガイド面４２６ａを有する。本実施形態において、第三ガイド面４２８ａは、第二ＦＰＣ押さえ板金４２６とは異なる部品である第三ＦＰＣ押さえ板金４２８をネジ４２９で固定することにより形成されている。このように本実施形態において、第二ガイド面４２６ａと第三ガイド面４２２８ａは、互いに別の板金部材で構成されている。なお本実施形態では、ネジ４２９を用いて第三ＦＰＣ押さえ板金４２８を固定しているが、これに限定されるものではなく、接着、溶接、磁気吸引等の固定方法を用いてもよい。
【００３９】
第二ガイド面４２６ａは、平面部４２６ａ１および回転軸Ａを中心とした円弧形状部４２６ａ２を有し、平面部４２６ａ１と円弧形状部４２６ａ２がなだらかに接続されている。第三ガイド面４２８ａは、回転軸Ａを中心とした円弧形状を有する。ＦＰＣ４２７は、前述のフォーカス位置検出手段２０４や絞り２０３等の電気部品との電気的接続を行うために設けられており、第一ＦＰＣ押さえ板金４２５の第一ガイド面４２５ａに両面テープ等を用いて貼り付けられ固定されている。またＦＰＣ４２７は、第一ＦＰＣ押さえ板金４２５のクリップ形状部４２５ｂにより折り畳まれて挟み込まれ、固定されている。ＦＰＣ４２７は、Ｕターン部４２７ａを有し、Ｕターン部４２７ａの一端４２７ｂは、Ｕターン部４２７ａの反発力により、第一ガイド面４２５ａに押し付けられている。Ｕターン部４２７ａの他端４２７ｃは、Ｕターン部４２７ａの反発力により、第二ガイド面４２６ａに第二ガイド面４２６ａに押し付けられている。またＵターン部４２７ａの他端４２７ｃは、第二ガイド面４２６ａに両面テープ等を用いて貼り付けられ固定されている。また、第一実施形態と同様に、第一ガイド面４２５ａと第三ガイド面４２８ａとの間の距離ｄ５は、第一ガイド面４２５ａと第二ガイド面４２６ａとの間の距離ｄ６よりも小さい。このように、第三ガイド面４２８ａを別部品で第二ＦＰＣ押さえ板金４２６に取り付けて一体化した構成でも、同様の効果を得ることができる。
【００４０】
各実施形態によれば、軸周りに回転する回転部材と所定の部材とを電気的接続するＦＰＣの形状変化を抑制して信頼性を向上させたレンズ装置および撮像装置を提供することができる。
【００４１】
以上、本発明の好ましい実施形態について説明したが、本発明はこれらの実施形態に限定されず、その要旨の範囲内で種々の変形及び変更が可能である。
【００４２】
各実施形態において、互いに相対的に回転することが可能な第一部材および第二部材は、それぞれ、ＴＳ回転部２１５（またはＲ部材２２１ｂ）およびシフト部２１１であるが、これに限定されるものではない。また各実施形態において、回転軸Ａは光軸ＯＡであるが、これに限定されるものではなく、光軸ＯＡに平行な軸や光軸ＯＡと直交する軸等の他の回転軸であってもよい。
【符号の説明】
【００４３】
２００  交換レンズ（レンズ装置）
２１１  シフト部（第二部材）
２１５  ＴＳ回転部（第一部材）
２２５ａ  第一ガイド面（第一ガイド部）
２２６ａ  第二ガイド面（第二ガイド部）
２２６ｂ  第三ガイド面（第三ガイド部）
２２７  ＦＰＣ（フレキシブルプリント基板）
２２７ａ  Ｕターン部（第一領域）
２２７ｂ  一端（第二領域）
２２７ｃ  他端（第三領域）
【図１】
2019040048.tif 000003
【図２】
2019040048.tif 000004
【図３】
2019040048.tif 000005
【図４】
2019040048.tif 000006
【図５】
2019040048.tif 000007
【図６】
2019040048.tif 000008
【図７】
2019040048.tif 000009
【図８】
2019040048.tif 000010
【図９】
2019040048.tif 000011